(57)【要約】  遠隔制御システムは、電気機器と端末装置とサーバ装置とを備える。端末装置は、機器ＩＤが暗号化された第１暗号化機器ＩＤを電気機器から受信する。端末装置は、第１暗号化機器ＩＤを電気機器に送信する。電気機器は、機器ＩＤおよび第１暗号化機器ＩＤをサーバ装置に送信する。端末装置は、第１暗号化機器ＩＤを、サーバ装置に送信する。サーバ装置は、電気機器または端末装置から受信した第１暗号化機器ＩＤが一致するかを判別し、一致している場合には、前記機器ＩＤを第１セキュリティ状態で登録する。
2018186157.tif 000002
【特許請求の範囲】
【請求項１】
電気機器と、前記電気機器の登録操作を行う端末装置と、前記端末装置からの前記電気機器に対する要求を受け付けるサーバ装置と、を備える遠隔制御システムであって、
前記端末装置は、
前記電気機器および前記サーバ装置と通信を行う第１通信部と、
前記端末装置を制御する第１制御部と、を備え、
前記第１制御部は、
前記電気機器を検索するための検索要求を、前記第１通信部を介して前記電気機器に送信し、
前記電気機器を識別する機器ＩＤが暗号化された第１暗号化機器ＩＤを含む検索要求応答を、前記第１通信部を介して前記電気機器から受信し、
前記第１暗号化機器ＩＤを含み、前記サーバ装置へサーバ転送データを通知することを要求する通知要求を、前記第１通信部を介して前記電気機器に送信し、
前記通知要求に対応して、前記電気機器から前記サーバ装置へ、前記機器ＩＤおよび前記第１暗号化機器ＩＤを含む前記サーバ転送データの送信が完了したことを示す完了応答を、前記第１通信部を介して前記電気機器から受信し、
前記第１暗号化機器ＩＤを含み、前記サーバ装置における前記機器ＩＤの登録状況の確認を要求する登録状況確認要求を、前記第１通信部を介して前記サーバ装置に送信し、
前記電気機器は、
前記端末装置および前記サーバ装置と通信を行う第２通信部と、
前記電気機器を制御する第２制御部と、を備え、
前記第２制御部は、
前記検索要求を、前記第２通信部を介して前記端末装置から受信し、
前記検索要求応答を、前記第２通信部を介して前記端末装置に送信し、
前記通知要求を、前記第２通信部を介して前記端末装置から受信し、
前記通知要求に対応して、前記サーバ転送データを、前記第２通信部を介して前記サーバ装置に送信し、
前記完了応答を、前記第２通信部を介して前記端末装置に送信し、
前記サーバ装置は、
前記電気機器および前記端末装置と通信を行う第３通信部と、
前記端末装置からの要求を受け付け可能な前記電気機器の前記機器ＩＤを登録する記憶部と、
前記サーバ装置を制御する第３制御部と、を備え、
前記第３制御部は、
前記サーバ転送データを、前記第３通信部を介して前記電気機器から受信し、
前記登録状況確認要求を、前記第３通信部を介して前記端末装置から受信し、
前記電気機器から受信した前記第１暗号化機器ＩＤと、前記端末装置から受信した前記第１暗号化機器ＩＤとが一致するか否かを判別し、一致している場合には、前記機器ＩＤを第１セキュリティ状態で前記記憶部に登録する、
遠隔制御システム。
【請求項２】
前記第１制御部は、
前記サーバ装置において前記機器ＩＤが暗号化された第２暗号化機器ＩＤを含む登録状況確認結果を、前記第１通信部を介して前記サーバ装置から受信し、
前記第２暗号化機器ＩＤを含み、前記機器ＩＤの登録を要求する登録要求を、前記第１通信部を介して前記サーバ装置に送信し、
前記登録要求に対する前記サーバ装置における前記機器ＩＤの登録結果を、前記第１通信部を介して前記サーバ装置から受信し、
前記第３制御部は、
前記第２暗号化機器ＩＤを前記記憶部に記憶させ、
前記登録状況確認結果を、前記第３通信部を介して前記端末装置に送信し、
前記端末装置から前記登録要求を、前記第３通信部を介して受信し、
前記登録要求に含まれる前記第２暗号化機器ＩＤと前記記憶部に記憶されている前記第２暗号化機器ＩＤが一致する場合に、前記機器ＩＤを、前記第１セキュリティ状態よりもセキュリティの高い第２セキュリティ状態で前記記憶部に登録し、
前記登録結果を、前記第３通信部を介して前記端末装置に送信する、
請求項１に記載の遠隔制御システム。
【請求項３】
前記第２制御部は、
前記電気機器の登録を受け付けるか否かを決定する移行モードを有し、
前記移行モードが前記電気機器の登録を受け付ける登録モードである場合に、前記通知要求を受け付ける、
請求項１または２に記載の遠隔制御システム。
【請求項４】
前記端末装置と前記サーバ装置は、前記端末装置から前記サーバ装置に前記第１暗号化機器ＩＤが送信される前に、相互認証を行う、
請求項１から３のいずれかに記載の遠隔制御システム。
【請求項５】
電気機器の登録操作を行う端末装置からの前記電気機器に対する要求を受け付けるサーバ装置であって、
前記電気機器および前記端末装置と通信を行う第３通信部と、
前記端末装置からの要求を受け付け可能な前記電気機器を識別するための機器ＩＤを登録する記憶部と、
当該サーバ装置を制御する第３制御部と、を備え、
前記第３制御部は、
前記端末装置から受信した前記サーバ装置への通知要求に対応して前記電気機器から送信された、前記機器ＩＤおよび前記機器ＩＤが暗号化された第１暗号化機器ＩＤを含むサーバ転送データを、前記第３通信部を介して受信し、
前記第１暗号化機器ＩＤを含み、前記サーバ装置における前記機器ＩＤの登録状況の確認を要求する登録状況確認要求を、前記第３通信部を介して前記端末装置から受信し、
前記電気機器から受信した前記第１暗号化機器ＩＤと前記端末装置から受信した前記第１暗号化機器ＩＤとが一致するかを判別し、一致している場合には、前記機器ＩＤを第１セキュリティ状態で前記記憶部に登録する、
サーバ装置。
【請求項６】
前記第３制御部は、
前記サーバ装置において前記機器ＩＤが暗号化された第２暗号化機器ＩＤを含む登録状況確認結果を、前記第３通信部を介して前記端末装置に送信し、
前記第２暗号化機器ＩＤを前記記憶部に記憶させ、
前記第２暗号化機器ＩＤを含み、前記機器ＩＤの登録を要求する登録要求を、前記端末装置から前記第３通信部を介して受信し、
前記登録要求に含まれる前記第２暗号化機器ＩＤと前記記憶部に登録されている前記第２暗号化機器ＩＤが一致する場合に、前記機器ＩＤを、前記第１セキュリティ状態よりセキュリティの高い第２セキュリティ状態で前記記憶部に登録し、
前記登録要求に対する前記サーバ装置における前記機器ＩＤの登録結果を、前記第３通信部を介して前記端末装置に送信する、
請求項５に記載のサーバ装置。
【請求項７】
前記第３制御部は、
前記端末装置から前記第１暗号化機器ＩＤを受信する前に、前記第３通信部を介して前記端末装置との相互認証を行う、
請求項５または６に記載のサーバ装置。
【請求項８】
電気機器に対する要求を、サーバ装置を介して行う端末装置であって、
前記電気機器および前記サーバ装置と通信を行う第１通信部と、
当該端末装置を制御する第１制御部と、を備え、
前記第１制御部は、
前記電気機器を検索するための検索要求を、前記第１通信部を介して前記電気機器に送信し、
前記電気機器を識別する機器ＩＤが暗号化された第１暗号化機器ＩＤを含む検索要求応答を、前記第１通信部を介して前記電気機器から受信し、
前記第１暗号化機器ＩＤを含み、前記サーバ装置へサーバ転送データを通知することを要求する通知要求を、前記第１通信部を介して前記電気機器に送信し、
前記通知要求に対応して、前記電気機器から前記サーバ装置へ、前記機器ＩＤおよび前記第１暗号化機器ＩＤを含む前記サーバ転送データの送信が完了したことを示す完了応答を前記電気機器から受信し、
前記サーバ装置において、前記通知要求に対応して前記電気機器から送信された前記第１暗号化機器ＩＤと一致するかを判別するために、前記電気機器から受信した前記第１暗号化機器ＩＤを含み、前記サーバ装置における前記機器ＩＤの登録状況の確認を要求する登録状況確認要求を、前記第１通信部を介して前記サーバ装置に送信する、
端末装置。
【請求項９】
前記第１制御部は、
前記サーバ装置において前記機器ＩＤが暗号化された第２暗号化機器ＩＤを含む登録状況確認結果を、前記第１通信部を介して前記サーバ装置から受信し、
前記第２暗号化機器ＩＤを含み、前記機器ＩＤの登録を要求する登録要求を、前記第１通信部を介して前記サーバ装置に送信し、
前記登録要求に対する前記サーバ装置における前記機器ＩＤの登録結果を、前記第１通信部を介して前記サーバ装置から受信する、
請求項８に記載の端末装置。
【請求項１０】
前記第１制御部は、
前記サーバ装置に前記第１暗号化機器ＩＤが送信される前に、前記第１通信部を介して前記サーバ装置との相互認証を行う、
請求項８または９に記載の端末装置。
【請求項１１】
電気機器と、前記電気機器の登録操作を行う端末装置と、前記端末装置からの前記電気機器に対する要求を受け付けるサーバ装置と、を備える遠隔制御システムにおける電気機器の登録方法であって、
前記端末装置は、前記電気機器を検索するための機器検索要求を前記電気機器に送信し、
前記電気機器は、前記電気機器を識別する機器ＩＤが暗号化された第１暗号化機器ＩＤを含む検索要求応答を、前記端末装置に送信し、
前記端末装置は、前記第１暗号化機器ＩＤを含み、前記サーバ装置へサーバ転送データを通知することを要求する通知要求を、前記電気機器に送信し、
前記電気機器は、前記通知要求に対応して、前記機器ＩＤおよび前記第１暗号化機器ＩＤを含む前記サーバ転送データを、前記サーバ装置に送信し、
前記電気機器は、前記サーバ装置へ前記サーバ転送データの送信が完了したことを示す通知要求完了応答を、前記端末装置に送信し、
前記端末装置は、前記第１暗号化機器ＩＤを含み、前記サーバ装置における前記機器ＩＤの登録状況の確認を要求する登録状況確認要求を、前記サーバ装置に送信し、
前記サーバ装置は、前記電気機器から受信した前記第１暗号化機器ＩＤと前記端末装置から受信した前記第１暗号化機器ＩＤとが一致するかを判別し、一致している場合には、前記機器ＩＤを第１セキュリティ状態で前記サーバ装置に登録する、
電気機器の登録方法。
【請求項１２】
前記サーバ装置は、前記機器ＩＤが暗号化された第２暗号化機器ＩＤを含む登録状況確認結果を、前記端末装置に送信し、
前記サーバ装置は、前記第２暗号化機器ＩＤを前記サーバ装置に記憶し、
前記端末装置は、前記第２暗号化機器ＩＤを含み、前記機器ＩＤの登録を要求する登録要求を、前記サーバ装置に送信し、
前記サーバ装置は、前記端末装置から前記登録要求を受信し、
前記サーバ装置は、前記登録要求に含まれる前記第２暗号化機器ＩＤと前記サーバ装置に記憶されている前記第２暗号化機器ＩＤが一致する場合に、前記第１セキュリティ状態よりもセキュリティの高い第２セキュリティ状態で前記機器ＩＤを前記サーバ装置に登録し、
前記サーバ装置は、前記機器ＩＤの登録結果を前記端末装置に送信する、
請求項１１に記載の電気機器の登録方法。
【請求項１３】
前記サーバ装置は、前記端末装置から前記第２暗号化機器ＩＤを含む登録要求を、前記サーバ転送データを受信してから所定時間内に受信できない場合に、前記機器ＩＤを未登録とする失敗応答を前記端末装置に送信する、
請求項１２に記載の電気機器の登録方法。
【請求項１４】
前記端末装置と前記サーバ装置は、前記端末装置から前記サーバ装置に前記第１暗号化機器ＩＤ及び前記第２暗号化機器ＩＤが送信される前に、相互認証を行う、
請求項１１から１３のいずれかに記載の電気機器の登録方法。
【請求項１５】
前記電気機器は、前記電気機器の登録を受け付けるか否かを決定する移行モードを有し、
前記電気機器は、前記移行モードが登録を受け付ける登録モードである場合に、前記端末装置からの前記通知要求を受け付ける、
請求項１１から１４のいずれかに記載の電気機器の登録方法。
【請求項１６】
電気機器の登録操作を行う端末装置からの前記電気機器に対する要求を受け付けるサーバ装置に搭載されたコンピュータに実行させるプログラムであって、
前記端末装置からの前記サーバ装置への通知要求に対応して前記電気機器から送信された、前記機器ＩＤおよび前記機器ＩＤが暗号化された第１暗号化機器ＩＤを含むサーバ転送データを受信し、
前記第１暗号化機器ＩＤを含み、前記サーバ装置における前記電気機器の登録状況の確認を要求する登録状況確認要求を前記端末装置から受信し、
前記電気機器から受信した前記第１暗号化機器ＩＤと前記端末装置から受信した前記第１暗号化機器ＩＤとが一致するかを判別し、一致している場合には、前記機器ＩＤを第１セキュリティ状態で前記サーバ装置に登録する、
処理を前記コンピュータに実行させるためのプログラム。
【請求項１７】
電気機器と、前記電気機器の登録操作を行う端末装置と、前記端末装置からの前記電気機器に対する要求を受け付けるサーバ装置と、を備える遠隔制御システムにおける電気機器の登録方法であって、
前記電気機器は、前記端末装置からの要求に応じて、前記電気機器を識別する機器ＩＤおよび前記機器ＩＤが暗号化された第１暗号化機器ＩＤを前記サーバ装置に送信し、
前記端末装置は、前記第１暗号化機器ＩＤを前記サーバ装置に送信し、
前記サーバ装置は、前記電気機器から受信した前記第１暗号化機器ＩＤと前記端末装置から受信した前記第１暗号化機器ＩＤとが一致するかを判別し、一致している場合には、前記機器ＩＤを第１セキュリティ状態で前記サーバ装置に登録する、
電気機器の登録方法。
【発明の詳細な説明】
【技術分野】
【０００１】
本開示は、住宅またはマンションの宅内に設置された電気機器がネットワークに接続されて構築された、電気機器ネットワークシステムにおいて用いられる機器登録方法に関する。
【背景技術】
【０００２】
近年、ネットワークに接続されたエアコン、電子レンジ及び冷蔵庫等の電気機器を携帯端末で遠隔制御するサービスが提供されている。【０００３】
このような電気機器を制御する通信システムにおいては、住宅またはマンションの宅内に設置されたパーソナルコンピュータまたは家電機器の電源制御、及び動作制御を、携帯端末からの遠隔制御により実施することが可能となる。また、ユーザが電気機器を制御した結果を動作履歴としてサーバへ蓄積し保存することで、動作履歴を解析することが可能となる。これにより、ユーザへ最適な家電利用方法を提案することが期待されている。【０００４】
特許文献１には、家電機器をサーバに登録する処理において、携帯端末から入力された家電機器の識別情報と、家電機器からサーバへ通知された情報の一部とが一致することを条件に、サーバへ家電機器を登録することが可能なシステムが開示されている。
【先行技術文献】
【特許文献】
【０００５】
【特許文献１】国際公開第２０１５／１１８９３４号
【発明の概要】
【０００６】
しかしながら、特許文献１の方法では、携帯端末からの情報入力が必須となっており、携帯端末の画面に情報を入力するためのキーボード表示及び入力機能を利用したユーザの入力処理が必須となる。これにより、利便性に欠けるという問題がある。
【０００７】
上記従来の問題を解決するために、本開示に係る遠隔制御システムは、電気機器と、前記電気機器の登録操作を行う端末装置と、前記端末装置からの前記電気機器に対する要求を受け付けるサーバ装置と、を備える。前記端末装置は、前記電気機器および前記サーバ装置と通信を行う第１通信部と、前記端末装置を制御する第１制御部と、を備えている。前記第１制御部は、前記電気機器を検索するための検索要求を、前記第１通信部を介して前記電気機器に送信し、前記電気機器を識別する機器ＩＤが暗号化された第１暗号化機器ＩＤを含む検索要求応答を、前記第１通信部を介して前記電気機器から受信し、前記第１暗号化機器ＩＤを含み、前記サーバ装置へサーバ転送データを通知することを要求する通知要求を、前記第１通信部を介して前記電気機器に送信し、前記通知要求に対応して、前記電気機器から前記サーバ装置へ、前記機器ＩＤおよび前記第１暗号化機器ＩＤを含む前記サーバ転送データの送信が完了したことを示す完了応答を前記電気機器から受信し、前記第１暗号化機器ＩＤを含み、前記サーバ装置における前記機器ＩＤの登録状況の確認を要求する登録状況確認要求を、前記第１通信部を介して前記サーバ装置に送信する。前記電気機器は、前記端末装置および前記サーバ装置と通信を行う第２通信部と、前記電気機器を制御する第２制御部と、を備えている。前記第２制御部は、前記検索要求を、前記第２通信部を介して前記端末装置から受信し、前記検索要求応答を、前記第２通信部を介して前記端末装置に送信し、前記通知要求を、前記第２通信部を介して前記端末装置から受信し、前記通知要求に対応して、前記サーバ転送データを、前記第２通信部を介して前記サーバ装置に送信し、前記完了応答を、前記第２通信部を介して前記端末装置に送信する。前記サーバ装置は、前記電気機器および前記端末装置と通信を行う第３通信部と、前記端末装置からの要求を受け付け可能な前記電気機器の前記機器ＩＤを登録する記憶部と、前記サーバ装置を制御する第３制御部と、を備えている。前記第３制御部は、前記サーバ転送データを、前記第３通信部を介して前記電気機器から受信し、前記登録状況確認要求を、前記第３通信部を介して前記端末装置から受信し、前記電気機器から受信した前記第１暗号化機器ＩＤと前記端末装置から受信した前記第１暗号化機器ＩＤとが一致するか否かを判別し、一致している場合には、前記機器ＩＤを第１セキュリティ状態で前記記憶部に登録する。
【０００８】
本開示の電気機器の登録方法によれば、ユーザは電気機器の識別情報の入力操作を携帯端末に行うことなく、電気機器がサーバに登録される。
【図面の簡単な説明】
【０００９】
【図１】実施の形態１における遠隔制御システムの概略構成図
【図２】実施の形態１における端末装置の機能ブロック図
【図３】実施の形態１におけるサーバ装置の機能ブロック図
【図４】実施の形態１における通信アダプタの機能ブロック図
【図５】実施の形態１における家電機器の機能ブロック図
【図６】実施の形態１における端末装置の各機能ブロックの動作を示す図
【図７】実施の形態１における商品情報及び第一暗号化機器ＩＤの紐づき情報の具体例を示す図
【図８】実施の形態１における機器検索結果の具体例を示す図
【図９】実施の形態１におけるサーバ装置の各機能ブロックの動作を示す図
【図１０】実施の形態１における機器ＩＤ、第一暗号化機器ＩＤ及び第二暗号化機器ＩＤの紐づき情報の具体例を示す図
【図１１Ａ】実施の形態１における機器ＩＤ、第一暗号化機器ＩＤ、第二暗号化機器ＩＤ及び登録状態の紐づき情報の具体例を示す図
【図１１Ｂ】実施の形態１における機器ＩＤ、第一暗号化機器ＩＤ、第二暗号化機器ＩＤ及び登録状態の紐づき情報の具体例を示す図
【図１２】実施の形態１における通信アダプタの各機能ブロックの動作を示す図
【図１３】実施の形態１における機器ＩＤ、商品情報及び第一暗号化機器ＩＤの紐づき情報の具体例を示す図
【図１４】実施の形態１における家電機器の各機能ブロックの動作を示す図
【図１５】実施の形態１における家電機器がサーバ装置へ登録されるまでの処理の流れを示すフローチャート
【図１６Ａ】実施の形態１における遠隔制御システムの動作を示すシーケンス図
【図１６Ｂ】実施の形態１における遠隔制御システムの動作を示すシーケンス図（図１６Ａの続き）
【発明を実施するための形態】
【００１０】
以下、本開示の実施の形態について、図面を参照しながら説明する。なお、以下で示す各実施の形態は一例であり、システムの構成、機能ブロックの構成は実施の形態に限定されるものではない。
【００１１】
（実施の形態１）
図１は、実施の形態１における遠隔制御システム１０００の全体構成を示す。遠隔制御システム１０００は、端末装置１００、サーバ装置２００、通信アダプタ３００、及び家電機器４００により構成される。
【００１２】
家電機器４００は、住宅内に設置される家電機器であり、例えば空調機器（例えば、エアコン）、冷凍冷蔵庫、炊飯器、オーブンレンジ又は洗濯乾燥機である。家電機器４００は、単一の機器であっても複数の機器であってもよい。以下、本実施の形態では家電機器４００はエアコンであるものとして説明する。
【００１３】
ユーザは、端末装置１００を用いて、家電機器４００に対する電源のＯＮおおよびＯＦＦ、ならびに、動作制御（例えば、エアコンにおける温度設定の変更または風量調整等）を遠隔地から実行することができる。ユーザが端末装置１００上で操作を実行すると、端末装置１００は、通信アダプタ３００を介して、家電機器４００に対して制御コマンドを送信する。家電機器４００は、受信した制御コマンドに応じた処理を実行する。端末装置１００からの制御コマンドは、セキュリティを考慮して、サーバ装置２００を介して通信アダプタ３００に送られる。サーバ装置２００は、端末装置１００からの遠隔制御を受け付ける家電機器４００のリストを管理する。サーバ装置２００は、端末装置１００から受信した制御コマンドの内、当該リスト上で管理されている家電機器４００に対する制御コマンドのみを受け付ける。
【００１４】
以下、端末装置１００、サーバ装置２００、通信アダプタ３００、及び家電機器４００の詳細について順次説明する。
【００１５】
まず、端末装置１００について説明する。図２は、実施の形態１における端末装置１００の主要な構成要素を示す機能ブロック図である。また、図６は端末装置１００の機能を説明する概略図である。
【００１６】
図１に示す端末装置１００は、サーバ装置２００及び通信アダプタ３００と通信可能な通信装置であり、例えば携帯電話または携帯可能な情報端末である。
【００１７】
なお、本実施の形態において、端末装置１００とサーバ装置２００が直接通信する形態について説明するが、これに限られない。端末装置１００とサーバ装置２００の間に別途サーバ装置をはさんだ構成であってもよい。また、本実施の形態において、端末装置１００およびサーバ装置２００は、通信アダプタ３００を介して、家電機器４００と通信する形態について説明するが、これに限られない。通信アダプタ３００が有する機能は家電機器４００に内蔵され、通信アダプタ３００と家電機器４００とが一体となった構成であってもよい。
【００１８】
図２において、端末装置１００は、通信部１、制御部２、操作部３、画面出力部４、及び記憶部５を備える。
【００１９】
図３は、実施の形態１におけるサーバ装置２００の主要な構成要素を示す機能ブロック図である。図３において、サーバ装置２００は、通信部２１、制御部２２、第二暗号化機器ＩＤ生成部２３、及び記憶部２４を備える。
【００２０】
図４は、実施の形態１における通信アダプタ３００の主要な構成要素を示す機能ブロック図である。図４において、通信アダプタ３００は、通信部３１、制御部３２、操作部３３、家電連携部３４、第一暗号化機器ＩＤ生成部３５、及び記憶部３６を備える。
【００２１】
図５は、実施の形態１における家電機器４００の主要な構成要素を示す機能ブロック図である。図５において、家電機器４００は、通信部４１、制御部４２、操作部４３、及び記憶部４４を備える。
【００２２】
通信部１、通信部２１、通信部３１及び通信部４１は、宅内に設置されたブロードバンドルータに対して、イーサネット（登録商標）ＬＡＮなどの有線通信または無線ＬＡＮによる無線通信を行う。なお、通信部４１は独自の有線通信等で通信アダプタ３００と通信する形態であってもよい。
【００２３】
制御部２は、端末装置１００全体を制御する。制御部２２は、サーバ装置２００全体を制御する。制御部３２は、通信アダプタ３００全体を制御する。制御部４２は、家電機器４００全体を制御する。
【００２４】
操作部３、操作部３３、及び操作部４３は、タッチパネル、操作ボタン、キーボート等の入力デバイスからなり、ユーザによる操作を受け付ける。画面出力部４は、ディスプレイ、又は外付けのディスプレイに表示すべき情報を出力する。
【００２５】
記憶部５、記憶部２４、記憶部３６、及び記憶部４４は、ハードディスクドライブ又はＳＳＤ（Ｓｏｌｉｄ  Ｓｔａｔｅ  Ｄｒｉｖｅ）等で構成され、格納された情報を保持する。
【００２６】
第二暗号化機器ＩＤ生成部２３は、入力された機器ＩＤを暗号化し、第二暗号化ＩＤを生成する。第一暗号化機器ＩＤ生成部３５は、入力された機器ＩＤを暗号化し、第一暗号化ＩＤを生成する。暗号化の方式は、公開鍵暗号または共通鍵暗号のいずれの方式であってもよく、特に限定されない。第一暗号化機器ＩＤ生成部３５及び第二暗号化機器ＩＤ生成部２３は、異なる装置上で互いに独立して暗号化を行う。生成される第一暗号化機器ＩＤ及び第二暗号化機器ＩＤは、通常では互いに異なるＩＤとなる。
【００２７】
家電連携部３４は、通信部４１を介して家電機器４００から機器ＩＤを取得し、機器ＩＤを記憶部３６に登録する。
【００２８】
なお、端末装置１００における通信部１、制御部２、及び画面出力部４、サーバ装置２００における通信部２１、制御部２２、及び第二暗号化機器ＩＤ生成部２３、通信アダプタ３００における通信部３１、制御部３２、家電連携部３４、第一暗号化機器ＩＤ生成部３５、並びに、家電機器４００の通信部４１及び制御部４２は、集積回路であるＬＳＩ（Ｌａｒｇｅ  Ｓｃａｌｅ  Ｉｎｔｅｇｒａｔｉｏｎ）により構成される。
【００２９】
これら各手段は、個別に１チップ化されていてもよいし、一部又は全てを含むように１チップ化されてもよい。ここではＬＳＩとしたが集積度の違いによりＩＣ、システムＬＳＩ、スーパーＬＳＩ、ウルトラＬＳＩと呼称されることもある。また、集積回路化の手法はＬＳＩに限るものではなく、専用回路または汎用プロセッサにより行っても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）または、ＬＳＩ内部の回路セルの接続や設定を再構成可能なコンフィギュラブル・プロセッサを利用して各部を構成しても良い。さらには、半導体技術の進歩又は派生する別技術によりＬＳＩに置き換わる集積回路化の技術により各部の集積化を行っても良い。例えば、バイオ技術を適応することによって集積化を行ってもよい。
【００３０】
図６を参照しながら、端末装置１００における各機能ブロックの動作について説明する。
【００３１】
通信部１は、制御部２からの機器検索要求が入力されると通信アダプタ３００に対して機器検索要求を送信する。また、通信部１は、通信アダプタ３００から機器検索要求の応答を受信し、制御部２へ出力する。通信アダプタ３００からの機器検索要求の応答には、商品情報及び第一暗号化機器ＩＤが含まれる。商品情報とは、家電機器４００の種類又は色等を識別するための情報であり、商品本体またはカタログ等で参照可能な情報である。第一暗号化機器ＩＤとは、家電機器４００をユニークに識別可能な数字、英字および記号の少なくとも一つから構成される製造番号（機器ＩＤ）が暗号化された情報である。
【００３２】
制御部２は、操作部３からの機器検索指示が入力されると、機器検索要求を生成し通信部１へ出力する。制御部２は通信部１を介して通信アダプタ３００から取得した商品情報及び第一暗号化機器ＩＤのうち、商品情報を画面出力部４へ出力し、商品情報及び第一暗号化機器ＩＤを記憶部５へ出力する。図７は、商品情報及び第一暗号化機器ＩＤが互いに紐づけられて記憶部５が記憶する具体例を示す。商品情報「ＮＡ−１０００Ａ」は、第一暗号化機器ＩＤ「ａｂｃｄｅｆｇｈｉｊｋｌｍｎ１２３４５」に紐づけて記憶されている。商品情報「ＮＡ−２０００Ａ」は、第一暗号化機器ＩＤ「ａｂｃｄｅｆｇｈｉｊｋｌｍｎ１２３４」に紐づけて記憶されている。
【００３３】
制御部２は、操作部３から商品情報を含む機器選択指示が入力されると、記憶部５から対象となる商品情報に紐づく第一暗号化機器ＩＤを読出し、通信部１に対して第一暗号化機器ＩＤを含むサーバ通知要求を出力する。例えば、操作部３から商品情報「ＮＡ−１０００Ａ」を含む機器選択指示が入力された場合は、それに紐づく第一暗号化機器ＩＤ「ａｂｃｄｅｆｇｈｉｊｋｌｍｎ１２３４５」が記憶部５から読み出され、第一暗号化機器ＩＤを含むサーバ通知要求が通信部１に対して出力される。
【００３４】
制御部２はサーバ通知要求を通信部１へ出力した後、サーバ通知要求の完了応答が通信アダプタから通信部１を介して入力されると、第一暗号化機器ＩＤを含む登録状況確認要求を通信部１へ出力する。
【００３５】
制御部２は登録状況確認要求を通信部１へ出力した後、登録状況確認要求に対する完了応答が通信部１を介して入力されると、完了応答に含まれる第二暗号化機器ＩＤを抽出する。
【００３６】
制御部２は、取得した第二暗号化機器ＩＤを含むサーバ登録要求を通信部１へ出力し、サーバ登録要求に対する応答が通信部１を介して入力されると、登録処理を終了する。
【００３７】
操作部３は、ユーザ操作によって機器検索指示に関する入力を受け付けると、当該入力を制御部２へ出力する。具体的にはタッチパネル操作またはキーボード等のデバイス操作により入力された指示が操作部３で受け付けられ、入力された指示内容が制御部２へ転送される。
【００３８】
操作部３はユーザ操作による機器選択指示を受け付けると、選択された商品情報を含む機器選択指示を制御部２に対して出力する。具体的には図８に示す通り、タッチパネル操作またはキーボード等のデバイス操作により、端末装置１００の画面に表示された家電機器のうち品番「ＮＡ−１０００Ａ」が選択された場合、商品情報として「ＮＡ−１０００Ａ」が入力されたとして、当該選択が受け付けられる。そして、操作部３から制御部２へ商品情報「ＮＡ−１０００Ａ」を含む機器選択指示が出力される。
【００３９】
次に、図９を参照しながら、サーバ装置２００における各機能ブロックの動作について説明する。
【００４０】
通信部２１は、通信アダプタ３００から受信したサーバ転送データを制御部２２に出力する。サーバ転送データは、商品情報、機器ＩＤおよび第一暗号化機器ＩＤを含む。
【００４１】
通信部２１は、端末装置１００の通信部１を介して第一暗号化機器ＩＤを含む登録状況確認要求が入力されると、登録状況確認要求を制御部２２へ出力する。
【００４２】
通信部２１は、制御部２２を介して入力される登録状況確認要求に対する結果を、第二暗号化機器ＩＤと共に端末装置１００の通信部１へ送信する。第二暗号化機器ＩＤとは、家電機器４００をユニークに識別するための機器ＩＤをサーバ装置２００で暗号化したＩＤを示す。記憶部２４には機器ＩＤ、第一暗号化機器ＩＤ及び第二暗号化機器ＩＤが紐づけして管理される（図１０参照）。
【００４３】
通信部２１は、第二暗号化機器ＩＤを含むサーバ登録要求を受信すると、制御部２２へサーバ登録要求を出力し、制御部２２から取得した登録結果を端末装置１００の通信部１へ送信する。
【００４４】
制御部２２は、通信部２１を介して通信アダプタ３００から受信したサーバ転送データに含まれる機器ＩＤ及び第一暗号化機器ＩＤを、記憶部２４に登録する。
【００４５】
制御部２２は、通信部２１を介して、第一暗号化機器ＩＤを含む登録状況確認要求が入力されると、記憶部２４に登録された第一暗号化機器ＩＤを検索して第一暗号化機器ＩＤが存在した場合は、第一暗号化機器ＩＤに紐づく機器ＩＤを抽出し、後述の第二暗号化機器ＩＤ生成部２３へ第二暗号化機器ＩＤの生成要求を出力する。制御部２２は、第二暗号化機器ＩＤ生成部２３において生成された第二暗号化機器ＩＤを受け取ると、機器ＩＤ、第一暗号化機器ＩＤ、及び第二暗号化機器ＩＤを互いに紐づけて記憶部２４へ登録する。具体的には図１０に示す第一暗号化機器ＩＤ「ａｂｃｄｅｆｇｈｉｊｋｌｍｎ１２３４」を含む登録状況確認要求が通信部２１を介して制御部２２へ入力された場合、制御部２２は記憶部２４を検索し該当する機器として機器ＩＤ「ＮＡ−２０００Ａ＋００００１」を抽出する。制御部２２は抽出した機器ＩＤ「ＮＡ−２０００Ａ＋００００１」を含む第二暗号化機器ＩＤ生成要求を第二暗号化機器ＩＤ生成部２３へ入力する。制御部２２は、生成結果「１２３４ａｂｃｄｅｆｇｈｉｊｋｌｍｎ」を取得すると、第二暗号化機器ＩＤ、機器ＩＤおよび第一暗号化機器ＩＤを互いに紐づけて記憶部２４へ登録する。制御部２２は、端末装置１００と通信アダプタ３００からそれぞれ送信された第一暗号化機器ＩＤが一致したと判断すると、機器の仮登録を示す登録状態「仮」へ登録状態を更新する（図１１Ａ参照）。具体的には、機器ＩＤが記憶部２４に第１セキュリティ状態で登録される。また制御部２２は生成された第二暗号化機器ＩＤ「１２３４ａｂｃｄｅｆｇｈｉｊｋｌｍｎ」を含む登録状況確認結果を、通信部２１を介して端末装置１００の通信部１へ送信する。
【００４６】
制御部２２は、通信部２１を介して第二暗号化機器ＩＤを含むサーバ登録要求が入力されると、記憶部２４を検索し一致する第二暗号化機器ＩＤが存在する場合、登録状態を「仮」→「完了」へ更新する（図１１Ｂ参照）。具体的には、機器ＩＤが記憶部２４に第１セキュリティ状態よりセキュリティが高い第２セキュリティ状態で登録される。さらに、制御部２２は、通信部２１を介して登録結果を端末装置１００へ送信する。
【００４７】
第二暗号化機器ＩＤ生成部２３は、制御部２２から機器ＩＤを含む第二暗号化機器ＩＤの生成要求が入力されると、第二暗号化機器ＩＤを生成し、制御部２２へ生成された第二暗号化機器ＩＤを含む応答を返す。
【００４８】
記憶部２４は、図１１Ａ，Ｂに示す通り家電機器４００を特定する機器ＩＤ、第一暗号化機器ＩＤ、第二暗号化機器ＩＤ及び登録状態を紐づけして管理する。
【００４９】
次に、図１２を参照しながら、通信アダプタ３００における各機能ブロックの動作について説明する。
【００５０】
通信部３１は端末装置１００から受信した機器検索要求を制御部３２へ出力し、機器検索要求に対する応答（商品情報および第一暗号化機器ＩＤ含む）が制御部３２から入力されると端末装置１００の通信部１に対して商品情報および第一暗号化機器ＩＤを送信する。
【００５１】
通信部３１は端末装置１００から受信したサーバ通知要求（第一暗号化機器ＩＤ含む）を制御部３２へ出力し、サーバ通知要求に対する応答（通知要求完了応答）が制御部３２から入力されると、端末装置１００の通信部１に対して通知要求完了応答を送信する。
【００５２】
通信部３１は制御部３２から機器ＩＤ、商品情報及び第一暗号化機器ＩＤを含むサーバ転送要求が入力されると、機器ＩＤ、商品情報及び第一暗号化機器ＩＤをサーバ転送データとしてサーバ装置２００の通信部２１へ送信する。
【００５３】
制御部３２は通信部３１から機器検索要求が入力されると、記憶部３６に登録されている、互いに紐付けられた商品情報及び第一暗号化機器ＩＤを取得し、通信部３１へ出力する。機器ＩＤ、商品情報及び第一暗号化機器ＩＤを互いに紐付けた一例を図１３に示す。具体的には、家電機器４００へ電源投入後、家電機器４００から転送される機器ＩＤ「ＮＡ−１０００Ａ＋００００１」を家電連携部３４で受信した後に生成される商品情報（例えば機器ＩＤから抽出した品番「ＮＡ−１０００Ａ」）と、機器ＩＤを暗号化して生成される第一暗号化機器ＩＤ「ａｂｃｄｅｆｇｈｉｊｋｌｍｎ１２３４５」、および機器ＩＤ「ＮＡ−１０００Ａ＋００００１」とが紐付けされる。
【００５４】
制御部３２は、通信部３１を介して第一暗号化機器ＩＤを含むサーバ通知要求が入力されると、記憶部３６から該当する第一暗号化機器ＩＤ及びそれに紐づく機器ＩＤ及び商品情報を読出し、通信部３１へサーバ転送要求を出力する。具体的には、制御部３２は第一暗号化機器ＩＤ「ａｂｃｄｅｆｇｈｉｊｋｌｍｎ１２３４５」を含むサーバ通知要求が入力されると、第一暗号化機器ＩＤ「ａｂｃｄｅｆｇｈｉｊｋｌｍｎ１２３４５」に紐づく機器ＩＤ「ＮＡ−１０００Ａ＋００００１」及び商品情報「ＮＡ−１０００Ａ」を記憶部３６から読み出し、第一暗号化機器ＩＤ、機器ＩＤ及び商品情報を通信部３１へ出力する。
【００５５】
制御部３２は、操作部３３から登録モード移行要求が入力されると、通信部３１を介して入力されるサーバ通知要求の受け付けを許可する状態へ遷移する。
【００５６】
操作部３３はユーザ操作により登録モード移行要求が入力されると、登録モード移行要求を制御部３２へ出力する。
【００５７】
家電連携部３４は家電機器４００の通信部４１から機器ＩＤが入力されると、機器ＩＤを暗号化するために第一暗号化機器ＩＤ生成部３５へ機器ＩＤを含む暗号化要求を出力する。生成された第一暗号化機器ＩＤ、機器ＩＤ及び機器ＩＤから抽出された商品情報が記憶部３６へ出力される。
【００５８】
第一暗号化機器ＩＤ生成部３５は家電連携部３４から機器ＩＤを含む暗号化要求が入力されると、第一暗号化機器ＩＤを生成し、第一暗号化機器ＩＤを含む応答を家電連携部３４へ出力する。
【００５９】
記憶部３６には図１３に示す通り、機器ＩＤ、商品情報及び第一暗号化機器ＩＤから構成される情報が登録されている。
【００６０】
次に、図１４を参照しながら、家電機器４００における各機能ブロックの動作について説明する。
【００６１】
通信部４１は制御部４２から機器ＩＤを含む通知要求が入力されると、通信アダプタ３００に対して機器ＩＤを送信する。
【００６２】
制御部４２は操作部４３から入力された電源投入を検知すると、記憶部４４に登録された機器ＩＤを読出し、通信部４１へ出力する。
【００６３】
以下、本実施の形態の端末装置１００、サーバ装置２００、通信アダプタ３００及び家電機器４００により実行される機器登録フローを説明する。
【００６４】
図１５は実施の形態１に係る端末装置１００、サーバ装置２００、通信アダプタ３００及び家電機器４００の機器登録フローを説明するためのフローチャートである。図１６Ａおよび図１６Ｂは、本実施の形態における遠隔制御システムを説明するためのシーケンス図である。図１５、図１６Ａおよび図１６Ｂを参照しつつ、端末装置１００、サーバ装置２００、通信アダプタ３００及び家電機器４００の動作を説明する。
【００６５】
なお、端末装置１００とサーバ装置２００との通信においては、相互認証は既に実施されているものとして説明する。相互認証の方式は、どのような方式であってもよい。事前に相互認証を行った上で、端末装置１００とサーバ装置２００との間の通信を行うことにより、よりセキュリティを高めることができる。
【００６６】
家電機器４００において、ユーザ操作による電源投入が操作部４３により検知される（ステップＳ０）と、ユーザ操作による電源投入に関する情報が制御部４２へ出力される。制御部４２は記憶部４４に登録されている機器ＩＤを読出し（ステップＳ１００）、通信部４１へ機器ＩＤを含む通知要求を出力する。通信部４１は、機器ＩＤを含む情報を通信アダプタ３００に送信する（ステップＳ１０１）。
【００６７】
通信アダプタ３００において、機器ＩＤを含む通知要求が家電連携部３４へ入力されると、機器ＩＤを暗号化するために第一暗号化機器ＩＤ生成部３５へ機器ＩＤを含む暗号化要求が出力される。そして、第一暗号化機器ＩＤ生成部３５にて第一暗号化機器ＩＤが生成される（ステップＳ１０２）。そして、生成された第一暗号化機器ＩＤ、機器ＩＤ、及び、機器ＩＤから抽出した商品情報が紐付けされ、記憶部３６に登録される（ステップＳ１０３）。
【００６８】
端末装置１００において、操作部３はユーザ操作により機器検索指示がなされて（ステップＳ１，Ｓ１０４）、機器検索要求の発生を検知すると、機器検索要求を制御部２へ出力する。制御部２は通信部１を介して通信アダプタ３００の通信部３１へ機器検索要求を送信する（ステップＳ１０５）。
【００６９】
通信アダプタ３００において、通信部３１は機器検索要求を受信すると、制御部３２へ機器検索要求を出力する。制御部３２は機器検索要求を受け付けると記憶部３６に登録されている商品情報及びそれに紐づく第一暗号化機器ＩＤを読み出し（ステップＳ２，Ｓ１０６）、通信部３１へ出力する。通信部３１は、商品情報及び第一暗号化機器ＩＤを含む機器検索要求応答を端末機器１００に送信する（ステップＳ１０７）。
【００７０】
通信アダプタ３００の通信部３１より送信された商品情報及び第一暗号化機器ＩＤは、端末装置１００における通信部１を介して制御部２に入力され、記憶部５へ登録される。また端末装置１００における画面出力部４へは商品情報が出力される（ステップＳ３）。
【００７１】
端末装置１００において操作部３はユーザ操作による機器選択指示の発生（ステップＳ１０８）を検知すると、選択された家電機器の情報（商品情報）を制御部２へ入力する（ステップＳ４のＹｅｓ）。
【００７２】
端末装置１００において制御部２は、記憶部５から商品情報に紐づく第一暗号化機器ＩＤを読出し、通信アダプタ３００の通信部３１に対して第一暗号化機器ＩＤを含むサーバ通知要求を送信する（ステップＳ５，Ｓ１０９）。
【００７３】
通信アダプタ３００において、通信部３１を介して受信されたサーバ通知要求は制御部３２へ入力される。制御部３２は登録モードへ移行済の状態か確認する（ステップＳ１１０）。通信アダプタ３００において操作部３３からの事前入力があり、制御部３２で登録モードへの移行済状態と判断した場合（ステップＳ６でＹｅｓ）、制御部３２は記憶部３６から該当する第一暗号化機器ＩＤ及びそれに紐づく機器ＩＤ及び商品情報を抽出し、通信部３１へサーバ転送要求を出力する。通信部３１を介してサーバ装置２００へ第一暗号化機器ＩＤ、機器ＩＤ及び商品情報を含むサーバ転送データが通知される（ステップＳ７，Ｓ１１１）。その後、通知要求完了応答が通信部３１を介して端末装置１００へ送信される（ステップＳ１１２）。そして、サーバ転送データに含まれる第一暗号化機器ＩＤおよび機器ＩＤが記憶部３６に記憶される（ステップＳ１１３）。
【００７４】
制御部３２で登録モードでないと判断した場合（ステップＳ６でＮｏ）、その後のサーバへの登録処理を行わず、処理を終了する。これにより、通信アダプタ３００の操作部３３で、登録モードへの移行操作が行われた場合のみ、家電機器４００のサーバ装置２００への登録処理が行われ、登録処理時のセキュリティを高めることができる。
【００７５】
端末装置１００において通信部１を介して制御部２へ通知要求完了の応答が入力されると（ステップＳ１１２）、制御部２は第一暗号化機器ＩＤを含む登録状況確認要求を生成する（ステップＳ１１４）。そして、第一暗号化機器ＩＤを含む登録状況確認要求がサーバ装置２００へ出力される（ステップＳ１１５）。サーバ装置２００において、通信部２１を介して登録状況確認要求が制御部２２へ入力されると、制御部２２は記憶部２４に登録された第一暗号化機器ＩＤを検索する。第一暗号化機器ＩＤが記憶部２４に存在した場合は、第一暗号化機器ＩＤに紐づく機器ＩＤを抽出し、第二暗号化機器ＩＤ生成部２３へ第二暗号化機器ＩＤの生成要求を出力する。そして、第二暗号化機器ＩＤ生成部２３は、第二暗号化機器ＩＤを生成する（ステップＳ１１６）。制御部２２は、第二暗号化機器ＩＤ生成部２３において生成された第二暗号化機器ＩＤを受け取ると、機器ＩＤ、第一暗号化機器ＩＤ、及び第二暗号化機器ＩＤを互いに紐づいた情報として記憶部２４へ登録する（ステップＳ１１７）。そして、制御部２２は、端末装置１００から送信された第一暗号化機器ＩＤおよび通信アダプタ３００から送信された第一暗号化機器ＩＤが一致するか否かを判断する（ステップＳ１１８）。端末装置１００と通信アダプタ３００から送信された第一暗号化機器ＩＤが一致したと判断した場合、機器の仮登録を示す、登録状態「仮」へ登録状態を更新する（ステップＳ８のＹｅｓ，Ｓ１１９）。具体的には、機器ＩＤが記憶部２４に第１のセキュリティ状態で登録される。そして、制御部２２は生成された第二暗号化機器ＩＤを含む登録状況確認結果を、通信部２１を介して端末装置１００の通信部１へ送信する（ステップＳ１２０）。
【００７６】
端末装置１００において通信部１を介して受信された登録状況確認結果（第二暗号化機器ＩＤ含む）が制御部２へ入力されると、制御部２は第二暗号化機器ＩＤを含むサーバ登録要求を生成し（ステップＳ１２１）、当該サーバ登録要求を通信部１へ出力する（ステップＳ１２２）。サーバ装置２００において通信部２１を介してサーバ登録要求が入力されると、制御部２２は、端末装置１００から送信されてきた第二暗号化機器ＩＤに一致する第二暗号化機器ＩＤが記憶部２４に存在するか否かを判断する（ステップＳ１２３）。そして、一致する第二暗号化機器ＩＤが存在する場合、制御部２２は、登録状態を「仮」→「完了」へ更新（図１１Ｂ参照）する（ステップＳ９のＹｅｓ，Ｓ１２４）。具体的には、機器ＩＤが記憶部２４に第１セキュリティ状態よりセキュリティが高い第２セキュリティ状態で登録される。さらに、制御部２２は、通信部２１を介して登録結果を端末装置１００へ送信する（ステップＳ１２５）。
【００７７】
以上のように端末装置１００、サーバ装置２００、通信アダプタ３００及び家電機器４００において、家電機器を識別する機器ＩＤを自動で暗号化し、暗号化された情報を利用して登録対象となる家電機器の正当性チェック及び登録処理をサーバ装置で実施することで、ユーザは端末装置から家電機器の識別情報の入力操作なしで機器登録をすることが可能となる。
【００７８】
なお、上述の実施の形態においては、ステップＳ８において、サーバ装置２００は、端末装置１００と通信アダプタ３００からそれぞれ受信した第一暗号化機器ＩＤが一致した場合に、家電機器４００の仮登録を行い、その後、ステップＳ９において、端末装置１００とサーバ装置２００との間で第二暗号化機器ＩＤをやりとりした後、登録状態を「完了」に更新する形態について説明した。これに限られず、サーバ装置２００は、端末装置１００と通信アダプタ３００からそれぞれ受信した第一暗号化機器ＩＤが一致した場合に、仮登録でなく、登録完了としてもよい。この場合でも、ユーザは端末装置から家電機器の識別情報の入力操作なしで機器登録をすることが可能となる。なお、仮登録後に、端末装置１００とサーバ装置２００との間で第二暗号化機器ＩＤをやりとりし、登録状態を「完了」に更新することにより、よりセキュリティを高めることができる。すなわち、第１セキュリティ状態から、第１セキュリティ状態よりもセキュリティが高い第２セキュリティ状態へと更新される。
【００７９】
また、上述の実施の形態においてサーバ装置２００における制御部２２は、サーバ登録要求が入力されるとサーバ登録状態を「完了」としているが、サーバ転送データを受信してからある一定の時間内（例えば、２時間以内）にサーバ登録要求が入力されない場合は登録失敗として処理してもよい。これにより、より高度なセキュリティ管理下での登録方式が実現される。
【００８０】
なお、上述の実施の形態においては、通信アダプタ３００における制御部３２は、家電機器４００の登録を受け付けるか否かを決定する移行モードが登録を受け付ける登録モードの状態にある場合に、端末装置１００からサーバ通知要求を受け付ける。これに限られず、登録モードへ移行せずともサーバ通知要求を受け付ける設定になっていてもよい。
【００８１】
なお、端末装置１００はサーバ装置２００に第１暗号化ＩＤが送信される前に、第１通信部１を介してサーバ装置２００との相互認証を行ってもよい。
【００８２】
また、上述の実施の形態において説明した遠隔制御システムにおける各処理をコンピュータに実行させるためのプログラム、および当該プログラムを記憶している記憶媒体も本開示に含まれる。
【００８３】
なお、制御部２，２２，３２は、上述した制御を行うものであれば、どのような形態であってもよい。制御部２，２２，３２は、演算処理部と、制御プログラムを記憶する記憶部とで構成されていてもよい。演算処理部としては、ＭＰＵ（Ｍｉｃｒｏ  Ｐｒｏｃｅｓｓｉｎｇ  Ｕｎｉｔ）、およびＣＰＵ（Ｃｅｎｔｒａｌ  Ｐｒｏｃｅｓｓｉｎｇ  Ｕｎｉｔ）が例示される。記憶部としては、メモリが例示される。記憶部に記録されている制御プログラムが、演算処理部によって実行される。
【００８４】
また、制御部２，２２，３２は、ハードロジックで構成されてもよい。ハードロジックで構成すれば、処理速度の向上に有効である。各構成要素は、一つの半導体チップで構成されてもよいし、物理的に複数の半導体チップで構成されてもよい。複数の半導体チップで構成した場合には、上述した各制御を、それぞれ別の半導体チップで実現することもできる。
【産業上の利用可能性】
【００８５】
本開示にかかる電気機器の登録方法では、ネットワーク上に接続された家電機器の登録を端末装置から家電機器の識別情報の入力操作なしで済ませることが可能となり、スマートフォンまたはタブレットを利用したサーバシステムに有用である。また、サーバシステムは宅内中継装置に実装・運用されても良い。なお、本開示は実施の形態の家電機器に限らず店舗、施設、事務所、工場、車両内などで使用される電気機器おいても利用可能である。
【符号の説明】
【００８６】
１００  端末装置
２００  サーバ装置
３００  通信アダプタ
４００  家電機器
１０００  遠隔制御システム
１  通信部（第１通信部）
２  制御部（第１制御部）
３  操作部
４  画面出力部
５  記憶部
２１  通信部（第３通信部）
２２  制御部（第３制御部）
２３  第二暗号化機器ＩＤ生成部
２４  記憶部
３１  通信部（第２通信部）
３２  制御部（第２制御部）
３３  操作部
３４  家電連携部
３５  第一暗号化機器ＩＤ生成部
３６  記憶部
４１  通信部（第２通信部）
４２  制御部（第２制御部）
４３  操作部
４４  記憶部
【図１】
2018186157.tif 000003
【図２】
2018186157.tif 000004
【図３】
2018186157.tif 000005
【図４】
2018186157.tif 000006
【図５】
2018186157.tif 000007
【図６】
2018186157.tif 000008
【図７】
2018186157.tif 000009
【図８】
2018186157.tif 000010
【図９】
2018186157.tif 000011
【図１０】
2018186157.tif 000012
【図１１Ａ】
2018186157.tif 000013
【図１１Ｂ】
2018186157.tif 000014
【図１２】
2018186157.tif 000015
【図１３】
2018186157.tif 000016
【図１４】
2018186157.tif 000017
【図１５】
2018186157.tif 000018
【図１６Ａ】
2018186157.tif 000019
【図１６Ｂ】
2018186157.tif 000020
【国際調査報告】
2018186157.tif 000021
2018186157.tif 000022
2018186157.tif 000023